(57)【要約】【課題】カラーホイール装置の明るさ重視の設定と、色合い重視の設定を容易に切り替えることを可能とする。【解決手段】白色光透過領域と、青色光透過領域と、赤色光透過領域と、緑色光透過領域とを有する第１のカラーフィルタを収納し、このフィルタを回転させることにより光源の放出光から光の３原色を形成するカラーホイール装置であって、前記カラーフィルタの回転軸上に第２のカラーフィルタを有することを特徴とするカラーホイール装置。【選択図】    図１
2004354957.tif 000002
【特許請求の範囲】
【請求項１】
白色光透過領域と、青色光透過領域と、赤色光透過領域と、緑色光透過領域とを有する第１のカラーフィルタを収納し、このフィルタを回転させることにより光源の放出光から光の３原色を形成するカラーホイール装置であって、前記カラーフィルタの回転軸上に第２のカラーフィルタを有することを特徴とするカラーホイール装置。
【請求項２】
前記第２のカラーフィルタは、前記第１のカラーフィルタの青色光透過領域、赤色光透過領域、又は緑色光透過領域のうち１つの領域と同一面積の領域と、その他の白色光透過領域とからなること特徴とする請求項１項記載のカラーホイール装置。
【請求項３】
白色光透過領域と、青色光透過領域と、赤色光透過領域と、緑色光透過領域とを有する第１のカラーフィルタと、この第１のカラーフィルタを回転駆動する第１のモータと、前記第１のカラーフィルタの青色光透過領域、赤色光透過領域、又は緑色光透過領域のうち１つの領域と同一面積の領域と、その他の白色光透過領域とからなる第２のカラーフィルタと、この第２のカラーフィルタを回転駆動する第２のモータと、前記第１のモータ及び第２のモータを同期制御するモータ制御装置とを有することを特徴とするカラーホイール装置。
【発明の詳細な説明】
【０００１】
【発明の属する技術分野】本発明は、カラーホイール装置、特にプロジェクタに用いるカラーホイール装置に関するものである。
【０００２】
【従来の技術】光源からの白色光を、回転するカラーフィルタを用いて光の３原色を形成し、この３原色を用いて投影画像を形成するプロジェクタ装置が知られている。
従来のプロジェクタ装置では、フィルタの全ての領域で３原色のフィルタを構成する場合の明るさの不足分を補うために、フィルタを部分的に白色光をそのまま透過させるようなカラーホイール装置が用いられている。
しかしながら、カラーフィルタを部分的にでも白色光を透過させる構造にすると、カラーコントラストが減少する。
このような従来の問題を解決するため、本件出願人は、先に特願２００３−９０２９０号を出願した。
特願２００３−９０２９０号では、複数の異なるカラーパターンのカラーホイール装置を用意し、投影映像に対する適切なカラーパターンを切替えて用いるものである。
【０００３】しかしながら、このようなカラーホイールを機械的に切替えて用いる場合には、切替え装置の機構が複雑になる。また、プロジェクタ装置を天井吊にしてホームシアターとして利用している場合などには、手が届かず、切替が困難な場合がある。
【０００４】
【発明が解決しようとする課題】本発明は、機械的に複雑な機構を用いることなく、明るさを重視したカラーフィルタの設定と、色合いを重視したカラーフィルタの設定を切り替えることを目的とするものである。
【０００５】
【課題を解決するための手段】上記課題を解決するため、第１の発明は、請求項１に記載するように、白色光透過領域と、青色光透過領域と、赤色光透過領域と、緑色光透過領域とを有する第１のカラーフィルタを収納し、このフィルタを回転させることにより光源の放出光から光の３原色を形成するカラーホイール装置であって、前記カラーフィルタの回転軸上に第２のカラーフィルタを有することを特徴としている。
【０００６】また、第２の発明においては、第２のカラーフィルタが、白色光透過領域と青色、赤色、又は緑色の内の１色を透過する領域とからなり、同軸上に配置した２つのカラーフィルタの対向位置を変更することでカラーパターンの設定を変更することを特徴としている。
【０００７】更に、第３の発明においては、第１のカラーフィルタと第２のカラーフィルタを、夫々異なるモータに接続し、これらのモータを同期制御することを特徴としている。
【０００８】
【発明の実施の形態】以下、図に沿って本発明の実施の形態を説明する。図１は本発明の実施形態を示す斜視図、図２は実施形態を示す機能ブロック図である。これらの図において、１は本体ケース、２はこのケース１内に収納される第１のカラーフィルタである。このカラーフィルタは白色光源からの入射光を赤、青、緑の光として出力するものであり、カラーコーティングされたガラス材と、このガラス材を保持する保持部とからなる。
尚、本実施例のカラーフィルタには、より明るい投影画像を形成するために、光源からの光をそのまま通過させる領域も形成されている。
３は第２のカラーフィルタであり、図３に示すように、３原色の内の１つの色の領域は第１のカラーフィルタの同一の色の領域、及び白色光の透過領域と同一形状に構成され、その他の領域は白色光透過領域としている。
４はカラーフィルタの回転位置センサ用の回路基板である。
図２における５ａ、５ｂは回転位置センサであり、第１及び第２のカラーフィルタの駆動モータ６ａ、６ｂに夫々設けられ、光の３原色の内、どの色の光が照射されているかを検出するために用いられる。
モータの制御回路７は、図示しないフェーズロックループ回路（ＰＬＬ回路）を有しており、このセンサ信号に用いることによって、モータ６ａ、６ｂを同期制御する。
８は入力手段であり、明るさ重視の設定にするか、色合い重視の設定にするかは、この入力手段により選択する。
尚、この入力手段は、リモコン内に設けても良い。
また、このセンサ信号は、図示しない映像処理装置にも入力され、各色に対応した映像信号処理が行われる。
【０００９】上記の実施例装置で、明るさ重視の光照射を行う場合は、図３に示すような配置にして、第１のカラーフィルタの白色光透過領域と第２のカラーフィルタの白色光透過領域が重なり、かつ、同じ色の領域が重なるようにする。
このような配置のまま各カラーフィルタを回転制御することにより、白色光透過領域の利用がなされ、より明るい光照射が行われる。
【００１０】また、色合いを重視した光照射を行う場合は、図４に示すような配置にして、第１カラーフィルタの白色光透過領域と第２のカラーフィルタの３原色光の領域が重なるようにする。
このような配置により、図５に示すようなカラーパターンが形成され、この配置のまま各カラーフィルタを回転制御することにより、より色合いを重視した光照射が行われる。
これらのカラーフィルタのパターンにより、図示しない表示素子が制御され、投影画像が形成される。
【００１１】尚、上記実施例では、各３原色光の領域及び白色光透過領域は、均等に配置されているが、図６のように、面積を異なるようにしてもよい。しかしながら、この場合も、第１のカラーフィルタの白色光透過領域と、第２のカラーフィルタに形成する色の領域の形状及び面積は同一とする。
【００１２】この第２の実施例の場合も、明るさ重視の場合は、図６に示すような配置にして、第１のカラーフィルタの白色光透過領域と第２のカラーフィルタの白色光透過領域が重なり、かつ、同じ色の領域が重なるようにする。
【００１３】また、色合いを重視した光照射を行う場合は、図７に示すような配置にして、第１カラーフィルタの白色光透過領域と第２のカラーフィルタの３原色光の領域が重なるようにする。
【００１４】尚、本発明は、上記の実施例に限定されるものではなく、カラーフィルタの形状、各領域の形状は上記実施例に限定されない。
【００１５】また、上記実施例では、夫々のカラーフィルタに夫々駆動用モータを設け、同期制御することにより、カラーパターンの切替えを行っているが、１つのモータを用い、この回転軸上に第１及び第２のカラーフィルタを配置し、手動で各カラーパターンになるように回転移動し、所定の配置で固定してもよい。例えば、第１又は第２の一方のカラーフィルタを軸に固定せず、自由に回転できるようにしておき、更にフィルタ保持部にねじ止め用のフィルタ位置固定手段を設けておく。
自由回転できるカラーフィルタを所望の位置に回転移動し、所望の配置状態で２つのカラーフィルタをねじ止めしてもよい。
【００１６】更に、図８に示すように、第１及び第２のカラーフィルタの回転軸に夫々ストッパー４、５を設け、矢印で示されるように回転方向を変更することによって、ストッパーが係合する位置が変更するような構成とし、このストッパーによって各カラーパタンの位置が固定されるようにしてもよい。
【００１７】
【発明の効果】本発明では、同軸上にカラーパターンの異なる複数のカラーフィルタを配置することにより、このフィルタのカラーパターンの位置を変更することで、明るさ重視の光照射と色合い重視の光照射を容易に切り替えることが可能となる。
【図面の簡単な説明】
【図１】図１は、本発明の実施例の形態に係る主要な構成を示す斜視図である。
【図２】図２は、本発明の実施例の形態に係る機能ブロック図である。
【図３】図３は、本発明の実施例の形態に係る、明るさ重視のカラーパターン配置を示す正面図である。
【図４】図４は、本発明の実施例の形態に係る、色合い重視のカラーパターン配置を示す正面図である。
【図５】色合い重視のカラーパターンの場合の、第１、第２のカラーフィルタを合成した状態を示す正面図である。
【図６】図６は、本発明の第２実施例の形態に係る、明るさ重視のカラーパターン配置を示す正面図である。
【図７】図７は、本発明の第２の実施例の形態に係る、色合い重視のカラーパターン配置を示す正面図である。
【図８】図８は、本発明の第３実施例の形態に係る、カラーパターン配置を示す正面図である。
【符号の説明】
１：本体ケース
２：第１のカラーフィルタ
３：第２のカラーフィルタ
【図１】
2004354957.tif 000003
【図２】
2004354957.tif 000004
【図３】
2004354957.tif 000005
【図４】
2004354957.tif 000006
【図５】
2004354957.tif 000007
【図６】
2004354957.tif 000008
【図７】
2004354957.tif 000009
【図８】
2004354957.tif 000010